(57)【要約】【課題】化学反応、生化学反応、生物反応などに用いる基板において、コロナ処理、プラズマ処理などの表面処理の効果を持続させる方法を提供するものである。【解決手段】紫外線処理、コロナ処理又はプラズマ処理により親水処理を施した基板の表面状態保持方法であって、７℃以下の環境下で保持することを特徴とする基板の表面状態保持方法とする。また、前記基板を密封された空間で保持することにより外部からの汚染物質などから汚染されずに保持することを特徴とする。【選択図】        なし【特許請求の範囲】
【請求項１】
紫外線処理、コロナ処理又はプラズマ処理により親水処理を施してなる基板の表面状態保持方法であって、該基板を７℃以下の環境下で保持することを特徴とする基板の表面状態保持方法。
【請求項２】
前記保持が、密封された空間でなされることを特徴とする請求項１記載の表面状態保持方法。
【請求項３】
コロナ処理又はプラズマ処理をしてから２４時間後における基板の純水との接触角と１６８時間後における基板の純水との接触角の差が、５°以内であることを特徴とする請求項１または２に記載の基板の表面状態保持方法。
【請求項４】
前記基板が、凹状反応部及び／又は凹状試薬収容部を備えてなることを特徴とする請求項１〜３のいずれかに記載の基板の表面状態保持方法。
【請求項５】
さらに第二反応部を有することを特徴とする請求項１〜４のいずれかに記載の基板の表面状態保持方法。
【請求項６】
紫外線処理、コロナ処理又はプラズマ処理により親水処理を施してなる基板であって、コロナ処理又はプラズマ処理をしてから２４時間後における基板の純水との接触角と１６８時間後における基板の純水との接触角の差が、５°以内であることを特徴とする基板。
【請求項７】
前記基板が、凹状反応部及び／又は凹状試薬収容部を備えてなることを特徴とする請求項６に記載の基板。
【請求項８】
さらに第二反応部を有することを特徴とする請求項６または７に記載の基板。
【発明の詳細な説明】
【技術分野】
【０００１】
本発明は、試薬を収容、抗原抗体反応による抗原の検出及びＤＮＡの検出、その他化学、生化学、生物反応等に用いられる基板の表面状態保持方法及び基板に関するものである。
【背景技術】
【０００２】
近年、化学反応やＤＮＡ反応、たんぱく質反応などの生化学反応をチップ上にて行うμ−Ｔｏｔａｌ  Ａｎａｌｙｓｉｓ  Ｓｙｓｔｅｍ技術やＬａｂ−ｏｎ−Ｃｈｉｐ技術が研究され実現して
きており、今まで大型の実験装置や大量の試薬が必要であった反応実験が数ミリ角以下の
チップで少量の試薬で行えるようになってきている。
【０００３】
生化学反応の例としては、酵素反応によるＤＮＡ増幅反応や、既知の配列を有するプローブＤＮＡを用い、ハイブリダイゼーション法により検体ＤＮＡの配列を検出する方法、ＤＮＡの配列決定の中でもＳＮＰ（一塩基多型）の検出法などがある。
ＳＮＰの検出法としては、インベーダー法、タックマンＰＣＲ法をタイピング工程に用いる方法が知られている（特許文献１参照）。
一般的にＤＮＡを用いた検出反応には血液等を採取し抽出したものを用いるが、採取する血液等の試料を少量で済ませるため、検体ＤＮＡの調製法として、酵素反応によるＤＮＡ増幅反応を用いることが多い。
試料中に含まれる微量のＤＮＡを増加させる方法には種々の方法が知られているが、その代表的な方法として、ＰＣＲ増幅反応が知られている。この方法は、試料中の二本鎖ＤＮＡの変性工程（一本鎖に解離）、アニーリング工程（一本鎖ＤＮＡとプライマーを結合）、伸長工程（プライマーからＤＮＡを合成）から構成される３工程を１サイクルとし、このサイクルを繰り返して試料中のＤＮＡを増加させる方法である。変性工程は約９５℃、アニーリング工程は５０〜６０℃、伸長工程は６０〜８０℃で行われる。ＰＣＲ増幅反応はこの熱サイクルを繰り返すことにより行われる。１サイクルに要する時間はせいぜい数分程度であり、このサイクルを繰り返して必要量のＤＮＡを得る。
なお、ＰＣＲ反応の前には前処理として９５℃で数分〜５、６分加熱することもある。
【０００４】
ＳＮＰの検出法の一つであるインベーダー法は、二種類の非蛍光標識オリゴヌクレオチド（アレルプローブ、インベーダープローブ）、一種類の蛍光標識オリゴヌクレオチド（ＦＲＥＴプローブ）及びＤＮＡ構造に特異的なエンドヌクレアーゼ（クリベース）を使用する。アレルプローブは、鋳型ＤＮＡの配列とは無関係な配列（フラップ）を５’側に有し、３’側に鋳型ＤＮＡに特異的な相補配列を有するオリゴヌクレオチドで、その相補配列の５’側末端はＳＮＰ部位となっている。他方、インベーダープローブは、前記ＳＮＰ部位から鋳型ＤＮＡの３’側に相補的に結合するように設計されている。また、ＦＲＥＴプローブは蛍光標識を有するオリゴヌクレオチドで、その５’末端に蛍光標識（レポーター）を有し、その上流にはクエンチャーが結合している。そして、このレポーターから３’側の部位が自己ハイブリゼーションして二本鎖を構成しており、この二本鎖から３’末端側に、アレルプルーブのフラップと相補的な配列である一本鎖の部位を有するものである。また、クリベースは、ヌクレオチドが三重に重なった部位を認識し、三重に重なったヌクレオチドの３’側を切断して遊離させる酵素である。
【０００５】
このインベーダー法においては、まず検査対象の鋳型ＤＮＡとアレルプローブをハイブリゼーションしたときに、ＳＮＰ部位にインベーダープローブの３’末端が侵入する。このため、このＳＮＰ部位で、鋳型ＤＮＡ、アレルプローブ及びインベーダープローブを重ね合わせて三重になる。このＳＮＰ部位の構造をクリベースが認識して、アレルプローブのフラップを切断・遊離させる。次に、アレルプローブ起源の前記遊離フラップはＦＲＥＴプローブとハイブリゼーションする。このハイブリゼーションによって、自己ハイブリゼーションの二本鎖とアレルプローブ起源の前記遊離フラップとの交点で三重となり、クリベースは再びこの構造を認識してＦＲＥＴプローブのレポーターを切断し、クエンチャーから開放される。そして、励起光を照射することにより、切断遊離されたレポーターの蛍光標識が蛍光発色する。仮にＳＮＰ部位の塩基がアレルプローブとマッチしないものであった場合、アレルプローブ起源のフラップは切断・遊離せず、したがって、蛍光発光率が著しく低いから、この蛍光強度の差を検出することによってＳＮＰを検査することができる。なお、励起光としては一般に紫外光又は可視光が利用されている。
また、これらの反応は約６３℃で数十分〜４時間程度インキュベートすることにより行われる。
【０００６】
チップを用いて、これらの反応を行う場合、ＤＮＡの配列を決定する場合などは、スライドガラス上にプローブＤＮＡを固定し、その上でハイブリダイゼーション反応を行う方法が知られている。
また、チップ上に設けたウェルと呼ばれる微小な穴やくぼみが形成され反応場として用いることも知られている。ウェルは、半導体やガラスにエッチングで設けたり、穴のあいた板を積層することで形成されていた。
ウェルを用いる場合、試薬を基板上に固定する必要がなく、またＰＣＲ反応などにも適用できる。
【０００７】
ウェルタイプのものとしては、例えば、基板表面に多数のウェルが設けられている検出用基板が開示されている（特許文献２、３、４参照）。
また、内部に流路を設け、両端に開口部を有する、ＰＣＲ反応用の装置も知られている（特許文献５参照）。
【０００８】
これらはいずれも中の空洞部に試薬を供給するものであるが、開口部が数ｍｍ以下と小さく、試薬、溶液を微小なウェルまたは流路両端に設けた開口部に供給する際、試薬、溶液とウェルまたは流路両端に設けた開口部壁面との表面エネルギーの関係で、試薬、溶液が入りにくい、気泡が混入するなどの問題がある。
これは、反応用のチップだけでなく、試薬保存用のチップにおいても同様である。
【０００９】
そのため、通常これらのチップには、試薬の注入性、回収性向上のため、プラズマ処理、コロナ処理などにより、表面を親水化することが知られている。
【００１０】
しかし、このような表面処理というのは経時的に処理効果が落ちてくる。通常、前述のような反応チップは、試薬に冷蔵保存する必要がない限り、常温下で保存される。
表面処理した後、常温下で保存すると、時間とともに処理効果が著しく落ちてくる。
【００１１】
このようなチップは、チップを作成してから使用するまでに数日〜数ヶ月かかる。そのため、製品化して販売するときは、少なくとも数ヶ月単位で品質を保証できなければならない。
【００１２】
【特許文献１】特開２００２−３００８９４号公報
【特許文献２】ＷＯ２００３／０３１９７２号公報
【特許文献３】特開平０９−９９９３２号公報
【特許文献４】特開２００３−７０４５６号公報
【特許文献５】特許第２７５９０７１号公報
【発明の開示】
【発明が解決しようとする課題】
【００１３】
本発明は、このような事情を考慮してなされたもので、化学反応、生化学反応、生物反応などに用いる基板において、紫外線照射処理、コロナ処理、プラズマ処理などの表面処理の効果を持続させる方法を提供するものである。
【課題を解決するための手段】
【００１４】
請求項１の発明は、紫外線処理、コロナ処理又はプラズマ処理により親水処理を施してなる基板の表面状態保持方法であって、該基板を７℃以下の環境下で保持することを特徴とする基板の表面状態保持方法である。
【００１５】
請求項２の発明は、前記保持が、密封された空間でなされることを特徴とする請求項１記載の表面状態保持方法である。
【００１６】
請求項３の発明は、コロナ処理又はプラズマ処理をしてから２４時間後における基板の純水との接触角と１６８時間後における基板の純水との接触角の差が、５°以内であることを特徴とする請求項１または２に記載の基板の表面状態保持方法である。
【００１７】
請求項４の発明は、前記基板が、凹状反応部及び／又は凹状試薬収容部を備えてなることを特徴とする請求項１〜３のいずれかに記載の基板の表面状態保持方法である。
【００１８】
請求項５の発明は、さらに第二反応部を有することを特徴とする請求項１〜４のいずれかに記載の基板の表面状態保持方法である。
【００１９】
請求項６の発明は、紫外線処理、コロナ処理又はプラズマ処理により親水処理を施してなる基板であって、コロナ処理又はプラズマ処理をしてから２４時間後における基板の純水との接触角と１６８時間後における基板の純水との接触角の差が、５°以内であることを特徴とする基板である。
【００２０】
請求項７の発明は、前記基板が、凹状反応部及び／又は凹状試薬収容部を備えてなることを特徴とする請求項６に記載の基板である。
【００２１】
請求項８の発明は、さらに第二反応部を有することを特徴とする請求項６または７に記載の基板である。
【発明の効果】
【００２２】
本発明によれば、紫外線処理、コロナ処理又はプラズマ処理により親水処理を施した基板の表面状態を長時間保持することができる。特に１ヶ月単位の長期間保持することができる。
【発明を実施するための最良の形態】
【００２３】
以下、本発明の実施形態について、図面を参照して説明する。
図１に、本発明の基板の一実施形態を示す図を示す。図１は、略長方形の板状の基板に、試料及び試薬を反応させるため、または試薬を保存するための凹部が複数形成されているチップである。
【００２４】
本発明に用いる基板は、試薬に悪影響を与えないものであればよい。また、ウェル内で反応を行う場合、反応系に悪影響を与えないことが必要である。さらに、ウェルを設け、ウェル内の反応を検出する際、基板下方より光学検出する場合は透明性が高い方が好ましい。
このようなものとして、例えば、ＰＣ（ポリカーボネート）、ＰＰ（ポリプロピレン）、シクロオレフィン系ポリマー、メチルペンテン系樹脂、フッ素ポリマー、シリコーン樹脂などを用いることができる。
透明性、耐熱性、耐薬品性や反応系に対する影響などの点からＰＰを用いることが好ましい。
【００２５】
このような合成樹脂を用いて基板を作成すれば、耐熱性、耐薬品性、成形加工性などに優れているため好ましい。さらに、２種類以上の樹脂を接合して用いてもよい。この場合、それぞれの樹脂の特徴を活かして基板を作成することにより、試薬及び試料等の特性に応じた多様な基板とすることが可能となり、用途ごとに使い分けることができる。例えば、基板の上半分と下半分とで材料を分けたりすることも可能となる。また、後述の試薬収容部やＰＣＲ反応部など部分ごとに材料を分けることもできる。
なお、基板の素材としてガラスを用いてもよい。
【００２６】
基板には、表面処理が施される。
基板上に試薬収容または反応場のための凹部を設ける場合、凹部に試薬、検体などの溶液を充填する際、凹部内部に表面処理を施しておくと気泡の混入なく溶液を注入できる。また、凹部から溶液を回収する際にも高回収率が期待できる。
また、予め試薬を入れある凹部に後から別の試薬を入れ、混合する場合にも試薬が適切に広がるために混合がしやすい。さらに、凹部内で加熱により反応を行う際、液在籍位置が安定し、また蒸発しにくいものとなる。
また、平坦な基板を用いる場合、基板上に化学的、生物学的、生化学的な試薬を保持又は固定する際、試薬と基板表面との親和性を向上させるために表面処理を行う。具体的には、ＤＮＡの配列決定における基板へのプローブＤＮＡの固定などである。
【００２７】
なお、表面処理としては、溶液が水系の場合、親水処理を施すことが好ましい。具体的には水との接触角が７０°以下、好ましくは４０°以下がよい。
また、接触角の測定は、公知の接触角計を用いて測定する。また、ウェル内の接触角の測定は困難であるため、同様の表面状態である基板の表面を用いて測定しても良い。
【００２８】
表面処理の方法としては、紫外線照射処理、プラズマ処理、コロナ処理などを用いることができる。
【００２９】
また、処理は大気中で行っても良いが、基板と上部電極の間に処理ガスを流しても良い。処理ガスとしては、窒素、アルゴン、ヘリウムなどの不活性ガスが挙げられる。
中でもアルゴンガスを用いたプラズマ処理が好ましい。
【００３０】
前記紫外線照射処理、コロナ処理、プラズマ処理は、公知の手法を用いることができる。
【００３１】
本発明では、表面処理を施した基板を７℃以下で保持することを特徴とする。前記表面処理では、紫外線照射、プラズマ照射、コロナ照射などにより基材表面の有機物などの付着物を除去することにより親水処理を施すことができる。。また、紫外線照射、プラズマ照射、コロナ照射などにより基板表面に−ＣＯＯＨ、−ＯＨ、−ＣＯ−などの官能基を導入することにより、水との親和性が向上し、親水処理を施すことができる。
しかし、−ＣＯＯＨ、−ＣＯ−における−Ｃや−ＯＨにおける−Ｏは回転して表面から基板内部にもぐってしまうことがある。この分子の回転運動は、温度上昇とともに活発になる。すなわち高い温度環境下にあればあるほど、分子の回転運動による、親水性官能基のもぐりこみが増加する。
【００３２】
基板を７℃以下で保持することにより親水性官能基の回転運動を抑えることができ、処理を施した表面状態を保持できるものである。また、好ましくは５℃以下、さらに好ましくは２℃以下であることが好ましい。
【００３３】
なお、表面処理を施した基板は、常温で保持しても７℃以下で保持しても処理直後しばらくは大気中の浮遊成分などが付着するなど表面状態が不安定である。後述のように密封系で保存したとしても、完全にクリーンで大気の揺らぎのない状態または真空などでない限り多少の影響は出てしまう。しかし、７℃以下で保持することにより２４時間以降は表面状態にあまり変化がなく、表面状態を保持できるものである。
おそらく、処理直後は、別の要因で処理の効果が低下していくからであると思われる。
【００３４】
また、基板を７℃以下で保持することにより、処理してから２４時間後の基板と純水の接触角と、処理してから１６８時間後の基板と純水の接触角の差が５°以下、条件次第で２°以下になり、安定したものとなる。また、処理してから２４時間後の基板と純水の接触角と処理してから２ヵ月後の基板と純水の接触角の差も１０°以下、条件次第で５°以下になり、長時間品質の安定した基板とすることができる。
【００３５】
また保持は密封系で行うことが好ましい。密封系で行うことによりホコリやごみ、またはその他の汚染の混入を防ぐことができる。表面処理した基材に再び有機物が付着すると親水性が低下してしまうため、密封系で保持することが好ましい。
具体的には、プラスチックの容器、又は包装体の中にいれ、ふたをする方法などを用いることができる。
【００３６】
基板には、凹状の反応部または試薬収容部を備えていてもよい。
【００３７】
試薬収容部は、基板がプラスチック、合成樹脂系であれば切削加工、成型加工により形成することができる。ガラスであれば切削加工により形成することができる。また、試薬収容部は複数有することができる。試薬収容部を複数設ける場合、大きさが異なっていても良い。試薬収容部の数は、目的に応じて適宜設定できる。
また、試薬収容部は、予め一つの試薬を入れておき、後から別の試薬を入れ、混合させる混合場として用いることもできる。
【００３８】
試薬収容部の形状は、特に限定はしないが、凹形状（ウェル状）であればよい。中でも半球状または円筒状で底部が半球状なものが好ましい。半球状であれば試薬を充填する際、試薬の飛び散り、気泡の混入を防げるものとなる。また収容した試薬を取り出す際の取り出し性に優れるものとなる。
なお、それ以外にも、開口部が円形または多角形で、断面が三角形状、四角形状、台形形状になっているものでもかまわない。
【００３９】
試薬収容部の容量は、１０〜３００μｌの範囲内であることが好ましい。化学反応、特にＤＮＡを扱う生化学反応、生物反応などライフサイエンス分野では、微量試薬を用いることが多い。
生化学反応では、反応量が微量であり、用いる試薬は高価であることが多い。また、血液から採取されるＤＮＡは通常０．１ｎｇ〜５０ｎｇ程度であり、ＤＮＡを含む試薬は数百ｎｌ〜数μｌ程度である。そのため、反応に用いる試薬なども多くても数百μｌ程度になり、前述の範囲内であることが好ましい。また、数百μｌ以上の試薬を用いる場合は試薬収容部を２つ以上用いてもよい。
【００４０】
前記試薬収容部の開口径が１〜５０ｍｍの範囲内であることが好ましい。
試薬の量は、数百ｎｌ程度の極微量〜数百μｌ程度であり、また一般的な分注針の径は数十μｍ〜数ｍｍ程度である、そのため、分注適性、目的容量を考慮すると、試薬収容部の開口径が１〜５０ｍｍの範囲内であることが好ましい。
【００４１】
また、深さは１〜５０ｍｍの範囲内であることが好ましい。
【００４２】
また、前記試薬収容部は、図８（ｂ）に示すような基板をくりぬいた形状にしてもよいし、図８（ａ）に示すように基板裏面が反応部の形状に沿って基板下方向に凸形状になっていても良い。
【００４３】
また、試薬収容部上に蓋材を設けても良い。蓋材を設けることにより、ごみ、汚染物質などによる汚染を防ぐことができる。
蓋材としてはフィルム状のものを用いることができる。このようなものとしては、例えばポリエチレン、ポリプロピレン、ポリメチルペンテン等のポリオレフィンフィルム、ポリメチルアクリレート、ポリメチルメタクリレート等のアクリル系フィルム、ポリスチレンフィルム、ポリアセタールフィルム、ポリアミドフィルム、ポリアクリロニトリルフィルム、ポリカーボネートフィルム、シクロオレフィン系フィルム、シリコン樹脂系フィルム、フッ素系樹脂フィルムなどが挙げられる。
また、アルミニウムなどの金属箔や、金属箔と前述の樹脂フィルムの積層フィルムを用いても良い。
【００４４】
これらのフィルム状蓋材は、接着剤を用いて貼り合わせることができる。接着剤としては、耐熱性の硬化性接着剤を用いることができる。
また、ヒートシールにより貼り合わせてもかまわない。ヒートシールであれば、試薬への接着剤の影響を考慮しなくても良いので好ましい。
【００４５】
ヒートシールの条件は、温度１４０℃〜２２０℃、圧力１ｋｇ〜３ｋｇ、時間０．３秒〜２．０の範囲内で、加圧しながら貼り合わせることが好ましい。温度、圧力、時間がこれ以上であると基材が変形を起こしやすくなる。また、これ以下の温度、圧力、時間であるると貼り合わせが困難である。また、温度を上げる場合は、内容物の熱劣化を考慮して時間を短くするとよい。
【００４６】
また、蓋材を設けた場合、試薬の回収は、蓋材の上から注射器のような針状の回収具を用いて、突き刺し、回収しても良い。
【００４７】
なお、蓋材を剥がさずに試薬を回収する場合は、蓋材は剥離する必要がない。
【００４８】
また、図７に示すように開口部周囲に凸部を設けても良い。凸部を設けることにより、蓋材を貼り合わせやすくできる。
特にヒートシールにより貼り合わせる場合、加熱する部分が、基材全体ではなく、凸部のところだけでよいので、試薬収容部内の試薬への熱的な影響を低減することができる。
【００４９】
このような凸部としては、幅は０．１〜２ｍｍ、好ましくは０．３〜０．７ｍｍの範囲内であることが好ましい。この範囲より小さいと、凸部でヒートシールすることができず、この範囲より大きいと、基材、内容物への影響（ダメージ）が大きくなってしまう。
また、凸部を設けることにより収容部の容量を増やしてもよい。その場合、収容部の強度とヒートシール適性を考慮して、凸部を例えば図７（ｂ）に示すように２段階に形成してもよい。すなわち、強度を出すためにある程度の厚みを持たせた凸部を設け、その上に幅の小さい凸部を設ける２段階構造にすることにより強度とヒートシール適性を両立させてもよい。
【００５０】
凹状の反応部は、基板がプラスチック、合成樹脂系であれば切削加工、成型加工により形成することができる。ガラスであれば切削加工により形成することができる。また、反応部は複数有することができ、目的に応じて適宜設定できる。
凹状（ウェル状）の反応部の開口径は０．１〜５ｍｍの範囲内、深さが０．１〜５ｍｍ範囲内であることが好ましい。前述のようにライフサイエンス分野では、微量試薬を用いて厳密な温度制御を行うことが多く、効率的に反応を行うためには、前記範囲内であることが好ましい。
また、反応部内には予め、反応に必要な試薬を収容していても良い。
【００５１】
また、ウェル状反応部の形状は、凹形状であれば特に限定するものではないが、底部が平坦でありウェル開口部から底部まで壁面が傾斜している円錐台形状であることが好ましい。底部が平坦でありウェル開口部から底部まで壁面が傾斜している円錐台形状であれば、下方からの光学的な検出に有利である。例えば反応部内に蛍光物質を下方から紫外線を照射し、同じく下方から蛍光を検出する場合、球状やその他複雑な形状であると、蛍光物質の励起源である紫外線が屈折、散乱して蛍光物質に照射される量が減少してしまう。また生じた蛍光も屈折、散乱し、検出する蛍光強度の低下、誤検出などの原因となってしまう。
なお、それ以外にも、開口部が円形または多角形で、断面が半球形状、Ｕ字形状、三角形状、四角形状になっているものでもかまわない。また、開口部が多角形で断面が台形形状でもかまわない。
【００５２】
また、前記反応部は、図８（ｂ）に示すような基板をくりぬいた形状にしてもよいし、図８（ａ）に示すように基板裏面が反応部の形状に沿って基板下方向に凸形状になっていても良い。
【００５３】
また、反応部上に保護フィルムを設けても良い。保護フィルムを設けることにより、ごみ、汚染物質などによる汚染を防ぐことができる。
保護フィルムとしてはフィルム状のものを用いることができる。このようなものとしては、例えばポリエチレン、ポリプロピレン、ポリメチルペンテン等のポリオレフィンフィルム、ポリメチルアクリレート、ポリメチルメタクリレート等のアクリル系フィルム、ポリスチレンフィルム、ポリアセタールフィルム、ポリアミドフィルム、ポリアクリロニトリルフィルム、ポリカーボネートフィルム、シクロオレフィン系フィルム、シリコン樹脂系フィルム、フッ素系樹脂フィルムなどが挙げられる。
また、アルミニウムなどの金属箔や、金属箔と前述の樹脂フィルムの積層フィルムを用いても良い。
【００５４】
これらの保護フィルムは、接着剤を用いて貼り合わせることができる。接着剤としては、耐熱性の硬化性接着剤を用いることができる。
また、ヒートシールにより貼り合わせてもかまわない。反応部内に予め試薬を収容しておく場合、ヒートシールであれば、試薬への接着剤の影響を考慮しなくても良いので好ましい。
【００５５】
ヒートシールの条件は、温度１４０℃〜２２０℃、圧力１ｋｇ〜３ｋｇ、時間０．３秒〜２．０秒の範囲内で、加圧しながら貼り合わせることが好ましい。温度、圧力、時間がこれ以上であると基材が変形を起こしやすくなる。また、これ以下の温度、圧力、時間であるると貼り合わせが困難である。また、温度を上げる場合は、内容物の熱劣化を考慮して時間を短くするとよい。
【００５６】
保護フィルムは使用する前に剥がす必要があるため、易剥離性であることが好ましい。
【００５７】
また、例えば図７にしめすように開口部周囲に凸部を設けても良い。凸部を設けることにより、蓋材を貼り合わせやすくできる。特にヒートシールにより貼り合わせる場合、加熱する部分が、基材全体ではなく、凸部のところだけでよいので、反応部内に予め試薬を収容しておく場合、試薬への熱的な影響を低減することができる。
また、剥離する際も、接点が開口部を除いた基材全体ではなく、凸部上だけであるので剥離が容易にできる。
【００５８】
このような凸部としては、幅は０．１〜２ｍｍ、好ましくは０．３〜０．７ｍｍの範囲内であることが好ましい。この範囲より小さいと、凸部でヒートシールすることができず、この範囲より大きいと、基材、内容物への影響（ダメージ）が大きくなってしまう。
また、凸部を設けることにより反応部の容量を増やしてもよい。その場合、反応部の強度とヒートシール適性を考慮して、凸部を例えば図７（ｂ）に示すように２段階に形成してもよい。すなわち、強度を出すためにある程度の厚みを持たせた凸部を設け、その上に幅の小さい凸部を設ける２段階構造にすることにより強度とヒートシール適性を両立させてもよい。
また、凸部同士を凸部と同じ高さで連結させても良い。そのようにすることで、剥離する際に、引っ掛かりがなくスムーズに剥離ができる。
【００５９】
本発明の容器は、例えば図２に示すように、同一基板上に、凹状試薬収容部及び凹状反応部を設けても良い。
試薬収容部に反応に必要な試薬を入れておき、試薬をウェル状試薬収容部に分注し、ウェル状反応部で反応させることができる。なお、この場合、ウェル状反応部に試薬の一部を予め配置しておいても良い。
【００６０】
ウェル状試薬収容部は用いる試薬の種類などに応じて複数設けることができる。例えば、試薬収容部には検出物質を含む溶液や、検出するための試薬が複数あり、多段階反応を行う場合は、検出するための試薬の一つを含む溶液、またはその他バッファー、希釈液などを入れておくことができる。
【００６１】
また、試薬収容部では、複数の試薬を混合させてもよい。試薬収容部で試薬を混合した後に別に設けた反応部で反応させることができる。
【００６２】
ウェル状反応部は複数も受けても良い。複数も受けることにより、同時に複数の反応を行うことができる。
【００６３】
また、反応を２種類以上行う場合、第二反応部を設けても良い。
【００６４】
例えば、反応がＤＮＡの検出反応に用いる場合、第二反応部はＰＣＲ反応部にすることができる。
ＰＣＲ反応部を設けることにより、同一チップ上で検体の調製、ＤＮＡの検出を行うことができる。
ＰＣＲ反応部としては、ウェル状の反応部を設けても良いし、例えば図３に示すように、流路を設け流路内で反応を行っても良い。流路を設ける場合、例えば、両端に開口部を有し、内部に流路を設ける構造が例としてあげられる。開口部直径は５ｃｍ以下程度、開口部深さは１ｍｍ〜５ｃｍ程度である。開口部に表面処理をする場合、前述のウェル内の処理と同様、本発明の処理法が効果を発揮するものである。
【００６５】
第二反応部が流路状である場合、具体的には例えば図５に示すような形状であってもよい。
流路状第二反応部は、両端に基材を貫通する貫通孔を設け、基材の裏面に両貫通孔を接続する溝部を設ける。この溝部上に底部形成用フィルムを貼り合わせることにより、流路状反応部を形成する。
この時、溝部の幅、高さはそれぞれ１ｍｍ〜５ｍｍの範囲内であることが好ましい。
【００６６】
前記溝部は両貫通孔を直線で結んでいても良いし、試薬や検査対象の蒸発を防ぐために屈曲した形状であっても良い。
【００６７】
底部形成用フィルムとしてはフィルム状のものを用いることができる。このようなものとしては、例えばポリエチレン、ポリプロピレン、ポリメチルペンテン等のポリオレフィンフィルム、ポリメチルアクリレート、ポリメチルメタクリレート等のアクリル系フィルム、ポリスチレンフィルム、ポリアセタールフィルム、ポリアミドフィルム、ポリアクリロニトリルフィルム、ポリカーボネートフィルム、シクロオレフィン系フィルム、シリコン樹脂系フィルム、フッ素系樹脂フィルムなどが挙げられる。
また、アルミニウムなどの金属箔や、金属箔と前述の樹脂フィルムの積層フィルムを用いても良い。
【００６８】
底部形成用フィルムは接着剤を用いて貼り合わせることができる。また、ヒートシールにより貼り合わせても良い。ヒートシールであれば、反応部内への接着剤の影響を考慮しなくても良いので好ましい。
また、底部形成用フィルムは、一部溝部へ食い込む形状であれば好ましい。基材と底部形成用フィルムの間に隙間が生じず、試薬や検査対象の漏れがないものとなるからである。
【００６９】
また、貫通孔開口部は容量を増やすために基材から上部に突出した形状にしてもよい。
【００７０】
また、開口部にはフタ材を設けてもよい。
【００７１】
また、その他の反応部を設けても良い。
【００７２】
また、例えば図４に示すように、ウェル状反応部同士を接続する流路を設けてもよい。またウェル状反応部と試薬収容穴部、ＰＣＲ反応部、その他の反応部を接続する流路を設けてもよい。これら流路を形成することにより、連続した反応を行わせることが可能となる。
【００７３】
また、基板には、変形などを軽減するためにサイドリブを設けてもよい。リブとしては、基板端部の下部及び／又は上部に幅０．１〜３ｍｍ、高さ０．１〜３ｍｍ程度のものを設ければよい。また、置いたときに安定するよう、支持用脚部を設けてもよい。
【００７４】
なお、ウェル状の反応部または試薬収容部を有する基板を例に説明したが、ウェルを有さず、平な基板にも適用できる。
【００７５】
本発明では、様々な生化学系の反応用として用いることができ、例えば抗原抗体反応及びＤＮＡ反応の検出などに用いることができる。
抗原抗体反応による抗原検出の場合、例えば、予め各ウェル状反応部内に抗原を含む試料を入れておき、後から検体として抗体を含む試薬を添加し、抗原または抗体のいずれかに標識物質を付けておくことで、反応の有無を検出できる。標識物質としては、蛍光などの発光物質が一般的に用いられる。なおこの場合、基板上に試薬収容部を設けて置き、検体を収容しておいてもよい。
【００７６】
ＤＮＡの検出の場合、例えば、予めウェル状反応部内に核酸プローブを用意しておく。その後、検体ＤＮＡをウェル状反応部に供給し、核酸プローブと検体ＤＮＡのハイブリダイゼーションさ反応により、ＤＮＡの検出を行うことができる。その際、検体ＤＮＡに標識物質を付けておけば、その標識物質の有無を検出することにより検出が可能となる。また、検体ＤＮＡは、血液等から抽出したＤＮＡをＰＣＲ法、ＬＡＭＰ法などにより調製しておいたものを用いることができる。また、核酸プローブとして配列の異なる核酸を複数用意することで検出物質としての検体ＤＮＡがどのような配列であるかを検出することができる。なおこの場合、基板上に試薬収容部を設けて置き、検出物質を収容しておいてもよい。
【００７７】
また、基板上に遺伝子増幅反応部を設けておき、チップ上で連続して、血液などから抽出したＤＮＡを遺伝子増幅反応により増幅させ、それを検体とし、反応部で核酸プローブとの反応の有無を検出してもよい。具体的には、例えばウェル状試薬収容部に検体として血液などから抽出したＤＮＡを収容しておき、分注動作により、遺伝子増幅反応部へ分注し、遺伝子増幅反応により調製した検体をウェル状の反応部へ分注すればよい。ウェル状試薬収容部から遺伝子増幅反応部、ウェル状反応部へは流路を用いて送液しても良い。
なお、ここでいう遺伝子とはＤＮＡ、ＲＮＡなどのことをいう。また遺伝子増幅反応方法としては前記ＰＣＲ法、ＬＡＭＰ法などがある。
【００７８】
また、一塩基遺伝子多型（ＳＮＰ）の解析にも用いることができる。なお、検体を検出するための試薬は複数あってもよく、検体が蛍光標識されていない場合には、試薬のひとつが標識されていればよい。
【００７９】
また、標識物質は、反応物に特有に作用するものを、反応後に加えることもできる。このようなものとしては、ＤＮＡの検出におけるインターカレーターなどがある。また、ここでいう標識物質とは間接的なものも含む。すなわち、蛍光物質などに結合する物質を標識物質として検体またはプローブ核酸などの検体を検出するための試薬に結合させておき、後から蛍光物質を加えても良い。
【００８０】
また、多段階反応を行ってＳＮＰまたはＤＮＡを検出してもよい。
例えば、インベーダー・アッセイ法（サードウェイブテクノロジーズ，Ｉｎｃ（米国ウィスコンシン州マディソン市）を用いても良い。これによりＳＮＰ解析の具現化を図ることが可能となる。
【００８１】
この場合、検体を検出するための試薬が複数種でもよく、予めウェル状反応部内に少なくとも１種の試薬を入れておき、その後、検体と試薬を同時または順次注入し、反応をおこなっても良い。
【００８２】
また、ウェル状反応部、ＰＣＲ反応部には、反応用液の乾燥を防ぐ目的でミネラルオイルなどの反応用液より比重の軽い不揮発性液体を加えても良い。
また、検体を検出するための試薬はウェル状反応部内に固定してもよいし、固定させずに保持させておくだけでもよい。
【００８３】
なお、前述の反応は、ウェルを用いない平坦な基板を用いても試薬を基板上に固定することにより行うことができる。
【実施例】
【００８４】
＜実施例１＞
ウェル形状の検出チップを、金型成形により作成する。成形に用いた樹脂は、ポリプロピレン（日本ポリプロ株式会社製）を用いて寸法縦２．５ｃｍ×横１２ｃｍの成形品を作成した。
【００８５】
試薬収容部は直径１３ｍｍ、深さ６ｍｍで先端が半球状とし、反応部は直径３ｍｍ、深さ２ｍｍで側面が傾斜し底面が平坦である、断面台形形状とした。なお、基材厚みは１ｍｍでウェル状試薬収容部及びウェル状反応部の底部は基板から下方にはみ出す形状にした。
試薬収容部は１０個、反応部は２４個設けた。
【００８６】
第二反応部であるＰＣＲ反応部は、開孔径１ｍｍで基材を貫通させ、かつ基材上部に３ｍｍせり出した開口部６ａを２つを１６ｍｍ空けて設け、底部を断面径１ｍｍの流路で接続した形状にした。なお、流路は基材裏面に溝を形成し、ポリプロピレンフィルム６ｂをヒートシールにより貼り合わせることにより形成した。
【００８７】
なお、基板の端から試薬収容部、ＰＣＲ反応部、反応部という順に設けた。
【００８８】
次に表面処理として、一対の電極間にＡｒ  １０Ｌ／ｍｉｎ：Ｏ２  ０．５Ｌ／ｍｉｎを供給させ、基材の搬送速度を５０ｍｍ／ｓｅｃで搬送させながら電極間に電圧を印加し、処理を行った。なおこの処理を３回行った。
【００８９】
処理したチップをプラスチックの容器に入れ、フタをし５℃に保つことができる保冷器にいれ２ヶ月保存した。
【００９０】
処理した基材の純水との接触角を処理から２４時間後〜２ヶ月の期間で６点測定した。結果を表１に示す。なお、表面処理はウェル内部に施すことを目的としているが、ウェル内部の接触角の測定は困難であるため、基板表面の接触角を測定し、その値を用いた。
【００９１】
＜実施例２＞
成形に用いた樹脂を、ポリプロピレン（プライムポリマー株式会社製）に替えた以外は実施例１と同様に行った。
【００９２】
＜実施例３＞
成形に用いた樹脂を、環状シクロオレフィン系フィルム（ゼオノア  日本ゼオン株式会社製）に替えた以外は実施例１と同様に行った。
【００９３】
＜比較例１＞
実施例１と同様にチップを作成し、表面処理を行った。処理したチップをプラスチックの容器に入れ、常温（約２５℃）で２ヶ月保存した。
処理した基材の純水との接触角を処理２４時間後〜２ヶ月の期間で６点測定した。結果を表１に示す。なお、実施例１と同様に、基板表面の接触角を測定し、その値を用いた。
【００９４】
＜比較例２＞
成形に用いた樹脂を、ポリプロピレン（プライムポリマー株式会社製）に替えた以外は比較例１と同様に行った。
【００９５】
＜比較例３＞
成形に用いた樹脂を、環状シクロオレフィン系フィルム（ゼオノア  日本ゼオン株式会社製）に替えた以外は比較例１と同様に行った。
【００９６】
【表１】
2007190511.tif 000002
【００９７】
以上、実施例、比較例の結果より、実施例１〜３のサンプルは、いずれも処理してから２４時間後と１週間後（１６８時間後）の基材と純水との接触角の差が２°以内になったが、比較例１〜３のサンプルは５〜２０°基材と純水との接触角の差が大きくなった。
また、実施例１〜３のサンプルでは処理してから２４時間後と２ヵ月後の基材と純水との接触角の差が実施例３のサンプルで１０°大きくなってしまったものの、実施例１、２のサンプルでは差が５°以内になった。それに対し、比較例１〜３のサンプルでは、１７〜２４°基材と純水との接触角の差が大きくなってしまった。
【図面の簡単な説明】
【００９８】
【図１】本発明の基板の一例を示す概略図である。
【図２】本発明の基板の一例を示す概略図である。
【図３】本発明の基板の一例を示す概略図である。
【図４】本発明の基板の一例を示す概略図である。
【図５】本発明の基板の一例を示す概略図である。
【図６】本発明の基板の一例を示す概略図である。
【図７】本発明の基板の一例を示す概略図である。
【図８】本発明の基板の一例を示す概略図である。
【符号の説明】
【００９９】
１      チップ
２      基板
３      ウェル
４      ウェル状試薬収納部
５      ウェル状反応部
６      第二反応部（ＰＣＲ反応部）
６（ａ）貫通孔開口部突出部
６（ｂ）下部フィルム
７      流路
【図１】
2007190511.tif 000003
【図２】
2007190511.tif 000004
【図３】
2007190511.tif 000005
【図４】
2007190511.tif 000006
【図５】
2007190511.tif 000007
【図６】
2007190511.tif 000008
【図７】
2007190511.tif 000009
【図８】
2007190511.tif 000010